【手続補正書】
【提出日】平成22年7月5日(2010.7.5)
【手続補正１】
【補正対象書類名】明細書
【補正対象項目名】特許請求の範囲
【補正方法】変更
【補正の内容】
【特許請求の範囲】
【請求項１】
「スポーツの試合やコンサート会場の中継番組などのような１つの番組」のデータを、送信（送信は電波やケーブルテレビ用ケーブルによるだけでなくインターネットなどの通信回線によるものをも含む）もしくは出力する、番組送信等装置において、
前記１つの番組の途中で、「番組の本体画像に代わる挿入型ＣＭ画像」が前記本体画像が一時的に中断される形で挿入されるように、前記挿入型ＣＭ画像を挿入させることを若しくはその挿入のタイミングを、指示するＣＭ挿入指示手段と、
前記１つの番組の途中で若しくはその進行の全体に渡って、「番組の本体画像の出力と並存する並存型ＣＭ画像」を、前記本体画像の中の一部もしくは前記本体画像の外側周囲近傍部分の少なくとも一部に、前記本体画像と並行的もしくは並存的に、所定の時間だけ若しくは常時、出力させることを若しくはその並存出力のタイミングを、指示するＣＭ並存出力指示手段と、
前記ＣＭ挿入指示手段からの出力及び／又は前記ＣＭ並存出力指示手段からの出力に基づいて、前記１つの番組において、「本体画像に代わる挿入型ＣＭ画像」及び／又は「本体画像の出力と並存する並存型ＣＭ画像」が表示されるように、前記番組を生成もしくは加工する番組生成等手段と、
を備えたことを特徴とする番組送信等装置。
【請求項２】
「スポーツの試合やコンサート会場の中継番組などのような１つの番組」のデータを、送信（送信は電波やケーブルテレビ用ケーブルによるだけでなくインターネットなどの通信回線によるものをも含む）もしくは出力する、番組送信等装置において、
前記１つの番組の途中で、「番組の本体画像に代わる挿入型ＣＭ画像」を、前記本体画像を一時的に中断させる形で挿入させるように指示する、若しくはその挿入のタイミングを指示する、ＣＭ挿入指示手段と、
前記１つの番組の途中で若しくはその進行の全体に渡って、「番組の本体画像の出力と並存する並存型ＣＭ画像」を、前記本体画像の中の一部もしくは前記本体画像の外側周囲近傍部分の少なくとも一部に、前記本体画像と並行的もしくは並存的に、所定の時間だけ若しくは常時、出力させるように、指示する、ＣＭ並存出力指示手段と、
前記ＣＭ挿入指示手段からの出力及び／又は前記ＣＭ並存出力指示手段からの出力に基づいて、前記１つの番組において、「本体画像に代わる挿入型ＣＭ画像」及び／又は「本体画像の出力と並存する並存型ＣＭ画像」が表示されるように、前記番組を生成もしくは加工する番組生成等手段と、
を備えたことを特徴とする番組送信等装置。
【請求項３】
１つの番組を送信（送信は電波やケーブルテレビ用ケーブルによるだけでなくインターネットなどの通信回線によるものをも含む）もしくは画面に出力させる番組送信等装置において、
前記１つの番組の途中で、「番組の本体画像に代わる挿入型ＣＭ画像」を、前記本体画像を一時的に中断させる形で挿入させるＣＭ挿入手段と、
前記１つの番組の途中で若しくはその進行の全体に渡って、「番組の本体画像の出力と並存する並存型ＣＭ画像」を、前記本体画像の中の一部又は前記本体画像の外側周囲近傍部分の少なくとも一部に、前記本体画像と並行的に、所定の時間だけ若しくは常時、出力させるＣＭ並存出力手段と、
視聴ユーザーからの指示もしくは入力の内容または番組の送信等を担当する操作者からの指示もしくは入力の内容に基づいて、前記１つの番組において「本体画像に代わる挿入型ＣＭ画像」及び／又は「本体画像の出力と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項４】
１つの番組を送信（送信は電波やケーブルテレビ用ケーブルによるだけでなくインターネットなどの通信回線によるものをも含む）もしくは画面に出力させる番組送信等装置において、
前記１つの番組の途中で、「番組の本体画像に代わる挿入型ＣＭ画像」を、前記本体画像を一時的に中断させる形で挿入させるＣＭ挿入手段と、
前記１つの番組の途中で若しくはその進行の全体に渡って、「番組の本体画像の出力と並存する並存型ＣＭ画像」を、前記本体画像の中の一部又は前記本体画像の外側周囲近傍部分の少なくとも一部に、前記本体画像と並行的に、所定の時間だけ若しくは常時、出力させるＣＭ並存出力手段と、
視聴ユーザーからの指示もしくは入力の内容または番組の送信等を担当する操作者からの指示もしくは入力の内容に基づいて、前記本体画像に対して「本体画像に代わる挿入型ＣＭ画像」及び／又は「本体画像の出力と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項５】
１つの番組のデータを送信（送信は電波やケーブルテレビ用ケーブルによるだけでなくインターネットなどの通信回線によるものをも含む）もしくは画面に出力させるための番組送信等装置において、
前記１つの番組の途中で、「番組の本体画像に代わる挿入型ＣＭ画像」を、前記本体画像が一時的に中断される形で挿入するＣＭ挿入手段と、
前記１つの番組の途中で若しくはその進行の全体に渡って、「番組の本体画像の出力と並存する並存型ＣＭ画像」を、前記本体画像の中の一部又は前記本体画像の外側周囲近傍部分の少なくとも一部に、前記本体画像と並行的に、所定の時間だけ若しくは常時、出力するＣＭ並存出力手段と、
視聴ユーザーからの指示もしくは入力の内容または番組の送信等を担当する操作者からの指示もしくは入力の内容に基づいて、前記１つの番組において「本体画像に代わる挿入型ＣＭ画像」及び／又は「本体画像の出力と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項６】
１つの番組のデータを送信（送信は電波やケーブルテレビ用ケーブルによるだけでなくインターネットなどの通信回線によるものをも含む）もしくは画面に出力させるための番組送信等装置において、
前記１つの番組の途中で、「番組の本体画像に代わる挿入型ＣＭ画像」を、前記本体画像を一時的に中断させる形で挿入するＣＭ挿入手段と、
前記１つの番組の途中で若しくはその進行の全体に渡って、「番組の本体画像の出力と並存する並存型ＣＭ画像」を、前記本体画像の中の一部又は前記本体画像の外側周囲近傍部分の少なくとも一部に、前記本体画像と並行的に、所定の時間だけ若しくは常時、出力するＣＭ並存出力手段と、
視聴ユーザーからの指示もしくは入力の内容または番組の送信等を担当する操作者からの指示もしくは入力の内容に基づいて、前記１つの番組の本体画像に対して「本体画像に代わる挿入型ＣＭ画像」及び／又は「本体画像の出力と並存する並存型ＣＭ画像」が表示されるように、前記ＣＭ挿入手段及び／又は前記ＣＭ並存出力手段を制御するためのＣＭ出力制御手段と、
を備えたことを特徴とする番組送信等装置。
【請求項７】
１つの番組を送信（送信は電波やケーブルテレビ用ケーブルによるだけでなくインターネットなどの通信回線によるものをも含む）もしくは画面に出力させる番組送信等装置において、
前記１つの番組の途中で、「番組の本体画像に代わる挿入型ＣＭ画像」を前記本体画像が一時的に中断される形で出力させるＣＭ挿入手段と、
前記１つの番組の途中で若しくはその進行の全体に渡って、「番組の本体画像の出力と並存する並存型ＣＭ画像」を、前記本体画像の中の一部又は前記本体画像の外側周囲近傍部分の少なくとも一部に、前記本体画像と並行的に、所定の時間だけ若しくは常時、出力させるＣＭ並存出力手段と、
前記１つの番組に関して、前記ＣＭ挿入手段による挿入型ＣＭの挿入を行うか又は前記ＣＭ出力手段による並存型ＣＭの出力を行うかを選択もしくは切り替えるための制御手段と、
を備えたことを特徴とする、番組へのＣＭ提供装置。
【請求項８】
１つの番組を送信（送信は電波やケーブルテレビ用ケーブルによるだけでなくインターネットなどの通信回線によるものをも含む）もしくは画面に出力させる番組送信等装置において、
番組の途中で、「番組の本体画像に代わる挿入型ＣＭ画像」が、前記本体画像が一時的に中断される形で出力されるような第１の番組のデータを生成もしくは加工する第１の番組生成等手段と、
前記第１の番組生成手段により生成される番組の本体画像の対象と同じものを対象とする本体画像を含む番組であって、その番組の途中で若しくはその進行の全体に渡って、「番組の本体画像と並存する並存型ＣＭ画像」が、前記本体画像の中の一部又は前記本体画像の外周部の少なくとも一部に、本体画像と並行的に、所定の時間だけ若しくは常時、出力されるような第２の番組のデータを生成もしくは加工する第２の番組生成等手段と、
前記第１の番組生成等手段により生成もしくは加工された第１の番組と前記第２の番組生成等手段により生成もしくは加工された第２の番組とを、それらが略同時に若しくは相前後して又は互いに関連付けられて視聴ユーザー側に送信もしくは出力されるように、前記第１の番組のデータ及び／又は前記第２の番組のデータの視聴ユーザー側への送信もしくは出力を制御する、送信制御手段と、
を含むことを特徴とする番組送信等装置。
【請求項９】
番組の途中で、「番組の本体画像に代わる挿入型ＣＭ画像」を、前記本体画像が一時的に中断される形で出力させるように構成された第１の番組のデータを、ユーザー側に送信（送信は電波やケーブルテレビ用ケーブルによるだけでなくインターネットなどの通信回線によるものをも含む）する若しくは画面に出力する、第１の番組送信等手段と、
前記第１の送信等手段により送信される番組の本体画像の対象と同じものを対象とする本体画像を含む番組のデータであって、その番組の途中で若しくはその進行の全体に渡って、「番組の本体画像の出力と並存する並存型ＣＭ画像」を、前記本体画像の中の一部又は前記本体画像の外周部の少なくとも一部に、本体画像と並行的に、所定の時間だけ若しくは常時、出力させるように構成された第２の番組のデータを、ユーザー側に送信（送信は電波やケーブルテレビ用ケーブルによるだけでなくインターネットなどの通信回線によるものをも含む）する若しくは画面に出力する、第２の番組送信等手段と、
前記第１の番組送信等手段により送信等される第１の番組と前記第２の番組送信等手段により送信等される第２の番組とが、略同時に若しくは相前後して又は互いに関連付けられて視聴ユーザー側に送信もしくは出力されるように、前記第１の番組送信等手段及び／又は前記第２の番組送信等手段を制御する制御手段と、
を含むことを特徴とするＣＭ画像を含む番組の送信システム。